(57)【要約】【課題】    第二の機能が第一の機能に制御される場合に、第一の機能を動作させなくても、第二の機能を第一の機能の制御から独立して動作させることができる端末装置を提供すること。【解決手段】    本発明にかかる端末装置１００は、携帯電話機能を動作させる制御部Ａ２０１、この制御部Ａ２０１の制御情報に基づいて、非接触ＩＣカード機能を動作させる制御部Ｂ３０１、制御部Ａ２０１に接続され、電池Ａ４００を装着可能な電池Ａ装着部２０２、および制御部Ｂ３０１に接続され、電池Ｂ５００を装着可能な電池Ｂ装着部２０４を備えている。  電池Ａ４００が電池Ａ装着部２０２に装着されず、電池Ｂが電池Ｂ装着部に装着されたとき、制御部Ａ２０１は携帯電話機能を動作させず、かつ、制御部Ｂ３０１は制御部Ａ２０１の制御情報から独立して非接触ＩＣカード機能を動作させる。【選択図】          図１
2005333745.tif 000002
【特許請求の範囲】
【請求項１】
第一の機能を動作させる第一の制御部、
この第一の制御部の制御情報に基づいて、第二の機能を動作させる第二の制御部、
上記第一の制御部に接続され、第一の電池を装着可能な第一の電池装着部、
および上記第二の制御部に接続され、第二の電池を装着可能な第二の電池装着部を備え、
上記第一の電池が上記第一の電池装着部に装着されず、上記第二の電池が上記第二の電池装着部に装着されたとき、上記第一の制御部は上記第一の機能を動作させず、かつ、上記第二の制御部は上記第一の制御部の制御情報から独立して上記第二の機能を動作させることを特徴とする端末装置。
【請求項２】
第一の機能を動作させる第一の制御部、
この第一の制御部の制御情報に基づいて、第二の機能を動作させる第二の制御部、
第一の制御部に接続され、第一の電池を装着可能な第一の電池装着部、
および上記第二の制御部に接続され、第二の電池を装着可能な第二の電池装着部を備え、
上記第一の電池が上記第一の電池装着部に装着されず、上記第二の電池が上記第二の電池装着部に装着されたとき、上記第一の制御部は上記第一の機能を動作させず、かつ、上記第二の制御部は上記第一の制御部の制御情報から独立して上記第二の機能を動作させ、
上記第一および第二の電池が上記第一および第二の電池装着部にそれぞれ装着されたとき、上記第一の制御部は制御情報を上記第二の制御部へ送出するとともに、上記第一の機能を動作させ、かつ、上記第二の制御部は上記第一の制御部の制御情報に基づいて、上記第二の機能を動作させることを特徴とする端末装置。
【請求項３】
第一の機能を動作させる第一の制御部、
この第一の制御部の制御情報に基づいて、第二の機能を動作させる第二の制御部、
第一の制御部に接続され、第一の電池を装着可能な第一の電池装着部、
および上記第二の制御部に接続され、第二の電池を装着可能な第二の電池装着部を備え、
上記第一の電池が上記第一の電池装着部に装着されず、上記第二の電池が上記第二の電池装着部に装着されたとき、上記第一の制御部は上記第一の機能を動作させず、かつ、上記第二の制御部は上記第一の制御部の制御情報から独立して上記第二の機能を動作させ、
上記第一の電池が上記第一の電池装着部に装着され、上記第二の電池が上記第二の電池装着部に装着されないとき、上記第一の制御部は第一の機能を動作させ、かつ、上記第二の制御部は第二の機能を動作させないことを特徴とする端末装置。
【請求項４】
第一の機能は少なくとも通信機能を備え、第二の機能は少なくとも非接触ＩＣカード機能を備えたことを特徴とする請求項１ないし３のいずれかに記載の端末装置。
【請求項５】
第一の電池装着部に第一の電池が装着されたことを検出する第一の電池検出部、
第二の電池装着部に第二の電池が装着されたことを検出する第二の電池検出部を備え、
上記第一および第二の電池検出部の検出結果に従って、上記第一および第二の制御部が、上記第一および第二の電池が上記第一および第二の電池装着部に装着されたことを認識することを特徴とする請求項１ないし３のいずれかに記載の端末装置。
【請求項６】
第一および第二の制御部間に接続して設けられる変換部を備え、
この変換部は、第二の電池が第二の電池装着部に装着され、
更に、第一の電池が第一の電池装着部に装着されているとき、上記第一の制御部の制御情報を第二の制御部へ送出し、
上記第一の電池が上記第一の電池装着部に装着されていないとき、上記第一の制御部の制御情報を上記第二の制御部へ送出しないことを特徴とする請求項２に記載の端末装置。
【請求項７】
外部電源と接続し、第二の電池を充電する充電部、
この充電部および第二の電池装着部間を接続し、第一の制御部が上記第二の電池の第二の電池装着部への装着の有無に応じて出力する制御信号によりオン／オフするスイッチを備え、
上記スイッチは、通常はオフ状態であって、上記充電部が上記外部電源と接続され、かつ、上記第二の電池が上記第二の電池装着部に装着されたとき、オン状態となり、上記充電部は上記第二の電池に充電を行うことを特徴とする請求項２に記載の端末装置。
【発明の詳細な説明】
【技術分野】
【０００１】
この発明は、複数機能を動作可能な端末装置であって、複数機能それぞれに対応された電池装着の有無に応じて、複数機能を選択的に切り替えて動作させる端末装置に関する。
【背景技術】
【０００２】
近年、端末装置の利便性を高めるため、携帯電話機能の他に、別の機能を付加した携帯電話機等の端末装置が出現してきている。特に、持ち歩きの多い携帯電話機や携帯情報端末では、その携帯性を利用して、別の機能として非接触ＩＣ（Ｉｎｔｅｇｒａｔｅｄ  Ｃｉｒｃｕｉｔ）カード機能が付加されたものがある。
【０００３】
ここで、非接触ＩＣカードとはプラスチック製カードにきわめて薄い集積回路（ＩＣチップ等）を埋め込み、情報を記録できるようにしたカードであって、アンテナが内蔵されており、微弱な電波を利用してリーダー・ライターとデータ交信を行うことができるものである。非接触ＩＣカードは、銀行のキャッシュカードなどで多く使われている磁気カードに比べて、たくさんの情報量を記録でき、しかも情報の暗号化も可能なことから、公衆電話機の通話料金の支払い、自動改札機を利用した電車運賃の支払い、ＩＤ認証等に広く使用されようとしている。
【０００４】
先行技術として、ページャー機能部、携帯電話機能部および共通制御機能部を備え、これらの機能部にそれぞれ別の電池により給電するページャー付き携帯電話機が記載されている（例えば、特許文献１参照）。
【特許文献１】特開平１０−１３３２７号公報（［０００６］、図１）
【０００５】
また、別の先行技術として、携帯電話機能および接触・非接触ＩＣカード機能を備えた携帯端末が記載されている。また、ＩＣカード機能には接触または非接触のものが記載されている（例えば、特許文献２参照）。
【特許文献２】特開２００３−２４４０１４号公報（図１）
【０００６】
更に、別の先行技術として、携帯電話機およびカメラを一体化した組合せ装置であって、電源にはカメラ専用の電池が用いられ、カメラがカメラ専用電池により独立して機能する組合せ装置が記載されている（特許文献３）。
【特許文献３】特開２００１−３０９０１２号公報（［００１５］、図１）
【発明の開示】
【発明が解決しようとする課題】
【０００７】
上述の非接触ＩＣカードは、交信時にリーダー・ライターから微弱電波に乗せて給電を受けることも可能であるため、専用電池により給電を必要しないが、非接触ＩＣカードを実際に使用するには、例えば通信料金残高や運賃料金残高等の非接触ＩＣカードのＩＣチップに記録されている情報を表示部に表示して、使用者が確認できるようにする必要がある。この場合、通常、携帯電話機等の端末装置に既存の表示部に非接触ＩＣカードの記録情報を表示するのに、既存の携帯電話機能の制御部が非接触ＩＣカード機能部を制御して非接触ＩＣカードの記録情報を表示部に表示させる必要がある。
【０００８】
このように、携帯電話機能およびＩＣカード機能を動作可能な端末装置を得るには、インターフェイスの共通化や複数機能の電池の共通使用を必要とする。このため、特許文献１ないし３に記載の技術のように、それぞれの機能部別に電池を設けることができず、非接触ＩＣカード機能を独立して機能させたいときに、独立して機能させることができなかった。特に、携帯電話機では、持ち歩いて使用するものであるため、電池給電を行えず、電池切れとなる状況が多く想定されるが、このような場合、独立して非接触ＩＣカード機能部のみを機能させて使用して、消費電力を節約したい場合もある。
【０００９】
この発明は、このような問題点を解決するためになされたものであり、第二の機能が第一の機能に制御される場合に、第一の機能を動作させなくても、第二の機能を第一の機能の制御から独立して動作させることができる端末装置を提供することを目的とする。
【課題を解決するための手段】
【００１０】
本発明に係る端末装置は、第一の機能を動作させる第一の制御部、この第一の制御部の制御情報に基づいて、第二の機能を動作させる第二の制御部、上記第一の制御部に接続され、第一の電池を装着可能な第一の電池装着部、および上記第二の制御部に接続され、第二の電池を装着可能な第二の電池装着部を備え、上記第一の電池が上記第一の電池装着部に装着されず、上記第二の電池が上記第二の電池装着部に装着されたとき、上記第一の制御部は上記第一の機能を動作させず、かつ、上記第二の制御部は上記第一の制御部の制御情報から独立して上記第二の機能を動作させることを特徴とするものである。このような構成により、第二の機能が第一の機能に制御される場合に、第一の機能を動作させなくても、第二の機能を第一の機能の制御から独立して動作させることができる。
【００１１】
また、本発明に係る他の端末装置は、第一の機能を動作させる第一の制御部、この第一の制御部の制御情報に基づいて、第二の機能を動作させる第二の制御部、第一の制御部に接続され、第一の電池を装着可能な第一の電池装着部、および上記第二の制御部に接続され、第二の電池を装着可能な第二の電池装着部を備え、上記第一の電池が上記第一の電池装着部に装着されず、上記第二の電池が上記第二の電池装着部に装着されたとき、上記第一の制御部は上記第一の機能を動作させず、かつ、上記第二の制御部は上記第一の制御部の制御情報から独立して上記第二の機能を動作させ、上記第一および第二の電池が上記第一および第二の電池装着部にそれぞれ装着されたとき、上記第一の制御部は制御情報を上記第二の制御部へ送出するとともに、上記第一の機能を動作させ、かつ、上記第二の制御部は上記第一の制御部の制御情報に基づいて、上記第二の機能を動作させることを特徴とするものである。このような構成により、第二の機能が第一の機能に制御される場合に、第一の機能を動作させなくても、第二の機能を第一の機能の制御から独立して動作させることができる。また、第二の機能を第一の機能に制御させて動作させることもできる。
【００１２】
また、本発明に係る他の端末装置は、第一の機能を動作させる第一の制御部、この第一の制御部の制御情報に基づいて、第二の機能を動作させる第二の制御部、第一の制御部に接続され、第一の電池を装着可能な第一の電池装着部、および上記第二の制御部に接続され、第二の電池を装着可能な第二の電池装着部を備え、上記第一の電池が上記第一の電池装着部に装着されず、上記第二の電池が上記第二の電池装着部に装着されたとき、上記第一の制御部は上記第一の機能を動作させず、かつ、上記第二の制御部は上記第一の制御部の制御情報から独立して上記第二の機能を動作させ、上記第一の電池が上記第一の電池装着部に装着され、上記第二の電池が上記第二の電池装着部に装着されないとき、上記第一の制御部は第一の機能を動作させ、かつ、上記第二の制御部は第二の機能を動作させないことを特徴とするものである。このような構成により、第二の機能が第一の機能に制御される場合に、第一の機能を動作させなくても、第二の機能を第一の機能の制御から独立して動作させることができる。また、第一の機能のみを動作させることもできる。
【００１３】
また、第一の機能は、少なくとも携帯電話機能を備え、第二の機能は少なくとも非接触ＩＣカード機能を備えることを特徴としてもよい。これにより、非接触ＩＣカード機能が携帯電話機能に制御される場合に、当該非接触ＩＣカード機能を携帯電話機能から独立して動作させることができる。
【００１４】
また、第一の電池装着部に第一の電池が装着されたことを検出する第一の電池検出部、第二の電池装着部に第二の電池が装着されたことを検出する第二の電池検出部を備え、上記第一および第二の電池検出部の検出結果に従って、上記第一および第二の制御部が、上記第一および第二の電池が上記第一および第二の電池装着部に装着されたことを認識するようにしてもよい。これにより、電池の装着を容易に検出できる。
【００１５】
また、第一および第二の制御部間に接続して設けられる変換部を備え、この変換部は、第二の電池が第二の電池装着部に装着され、更に、第一の電池が第一の電池装着部に装着されているとき、上記第一の制御部の制御情報を第二の制御部へ送出し、上記第一の電池が上記第一の電池装着部に装着されていないとき、上記第一の制御部の制御情報を上記第二の制御部へ送出しないようにしてもよい。これにより、必要時のみ確実に第一の制御部の制御情報を第二の制御部へ送出することができる。
【００１６】
また、外部電源と接続可能で、第一および第二の電池を充電する充電部、この充電部および第二の電池装着部間を接続し、第一の制御部が上記第二の電池の第二の電池装着部への装着の有無に応じて出力する制御信号によりオン／オフするスイッチを備え、上記スイッチは、通常はオフ状態であって、上記充電部が上記外部電源と接続され、かつ、上記第二の電池が上記第二の電池装着部に装着されたとき、オン状態となり、上記充電部は上記第二の電池に充電を行うようにしてもよい。これにより、充電部が第二の電池に対して誤操作なく的確に充電を行うことができる。
【発明の効果】
【００１７】
この発明により、第二の機能が第一の機能に制御される場合に、第一の機能を動作させなくても、当該第二の機能を第一の機能の制御から独立して動作させることができる。
【発明を実施するための最良の形態】
【００１８】
発明の実施の形態１．
本発明の実施の形態１について、図に基づいて説明する。
【００１９】
図１は、本発明の実施の形態１に係る端末装置の構成を示す図である。
【００２０】
図１において、端末装置１００は例えば携帯電話機、携帯情報端末等であり、第一の制御部としての携帯電話部２００および第二の制御部としての非接触ＩＣカード部３００から構成される。
【００２１】
携帯電話部２００は少なくとも他の端末装置と通信する通信機能を有する第一の機能としての携帯電話機能を備え、第一の制御部としての制御部Ａ２０１、第一の電池装着部としての電池Ａ装着部２０２、第一の電池検出部としての電池Ａ検出部２０３、第二の電池検出部としての電池Ｂ検出部２０４、充電部２０５、スイッチ２０６、表示部としてのＬＣＤ（Ｌｉｑｕｉｄ Ｃｒｙｓｔａｌ Ｄｉｓｐｌａｙ：液晶ディスプレイ）表示部２０７、操作部２０８、送受信部２０９、アンテナ２１０により構成される。
【００２２】
制御部Ａ２０１は携帯電話部２００全体を制御して動作させる。電池Ａ装着部２０２は制御部Ａ２０１に接続され、第一の電池としての電池Ａ４００を装着できる。電池Ａ４００は図示しない電池セルおよびこの電池セルをカバーするケースとからなり、電池パックにして使用され、電池Ａ装着部２０２に装着されることにより、携帯電話部２００全体に電源供給する。電池Ａ検出部２０３は電池Ａ４００が電池Ａ装着部２０２に装着されたことを検出する。制御部Ａ２０１は電池Ａ検出部２０３の検出結果に従って、電池Ａ４００が電池Ａ装着部２０２に装着されたことを認識する。電池Ｂ検出部２０４は後述の電池Ｂ５００が後述の電池Ｂ装着部３０２に装着されたことを検出する。後述の制御部Ｂ３０１は電池Ｂ検出部２０４の検出結果に従って、電池Ｂ５００が電池Ｂ装着部３０２に装着されたことを認識する。なお、電池Ａ検出部２０３および電池Ｂ検出部２０４は、通常、制御部Ａ２０１を介して電池Ａ４００からの電源供給を受けて動作するが、電池Ａ４００および電池Ｂ５００が装着されていないときには、電池Ａ４００または電池Ｂ５００から電源供給を受けなくても動作するものとする。すなわち、例えば携帯電話部２００に設けられたデータバックアップ用電池等の電源を用いて動作する。
【００２３】
充電部２０５は充電回路を備え、図示しない外部電源を接続することにより電池Ａ４００および電池Ｂ５００を充電でき、電池Ｂ５００への充電はスイッチ２０６によって制御される。スイッチ２０６は制御部Ａ２０１により制御され、充電部２０５および電池Ｂ装着部３０２間を接続し、制御部Ａ２０１が電池Ｂ５００の電池Ｂ装着部３０２への装着の有無に応じて出力する制御信号によりオン／オフする。また、このスイッチ２０６は、通常はオフ状態であって、充電部２０６が外部電源と接続され、かつ、電池Ｂ５００が電池Ｂ装着部３０２に装着されたときオン状態となり、充電部２０６は電池Ｂ５００にも充電を行う。ＬＣＤ表示部２０７は制御部Ａ２０１の制御により携帯電話部２００の動作状況、非接触ＩＣカード部３００に記録されている公衆電話機の通話料金の支払い、自動改札機を利用した電車運賃の支払い、ＩＤ認証等の記録内容、動作状況等を表示する。使用者は複数の数字、英字ボタン等で構成された操作部２０８により、例えば電話帳読み出しやメール送信等の携帯電話機能を制御部Ａ２１に動作させる指示を入力でき、電池Ａ４００および電池Ｂ５００が装着されているときには、非接触ＩＣカード機能を制御部Ａ２０１の制御情報に基づいて制御部Ｂ３０１に動作させる指示を入力することができる。
【００２４】
非接触ＩＣカード部３００は非接触ＩＣカード機能を備え、第二の制御部としての制御部Ｂ３０１、第二の電池装着部としての電池Ｂ装着部３０２、変換部としての倫理変換部３０３により構成される。
【００２５】
制御部Ｂ３０１は携帯電話部２００の制御部Ａ２０１の制御情報に基づいて、非接触ＩＣカード部３００全体を制御して動作させる。また、制御部Ｂ３０１は制御部Ａ２００の制御情報によらず、独立して動作もできる。電池Ｂ装着部３０２は制御部Ｂ２０１に接続され、第二の電池としての電池Ｂ５００を装着する。電池Ｂ４００は図示しない電池セルとこの電池セルをカバーするケースとからなり、電池パックにして使用され、電池Ｂ装着部３０２に装着されることにより、非接触ＩＣカード部３００全体に電源供給する。論理変換部３０３は、制御部Ａ２０１および制御部Ｂ３０２間に接続して設けられ、電池Ｂ５００が電池Ｂ装着部３０２に装着された上で、更に電池Ａ４００が電池Ａ装着部２０２に装着されているとき、制御部Ａ２０１の制御情報を制御部Ｂ３０１へ送出し、電池Ａ４００が電池Ａ装着部２０２に装着されていないとき、制御部Ａ２０１の制御情報を制御部Ｂ３０１へ送出しないように制御部Ｂ３０１の入力信号を固定するように構成されている。
【００２６】
次に、本発明の実施の形態に係る端末装置の動作説明を図に基づいて説明する。
【００２７】
図２および図３は、本発明の実施の形態１に係る端末装置の動作説明するためのフロー図である。
【００２８】
図１および図２において、端末装置１００を使用する際に、例えば電源ボタンを押したとき（ＳＴＥＰ（以下、ＳＴと称する。）１）、まず、電池Ａ検出部２０３が、電池Ａ４００の電池Ａ装着部２０２への装着の有無を、検出する（ＳＴ１０２）。電池Ａ検出部２０３が電池Ａ４００の装着を検出できないときは（ＳＴ１０２、ＳＴ１０３）、電池Ｂ５００の電池Ｂ装着部３０２への装着の有無を、電池Ｂ検出部２０４が検出する（ＳＴ１０４）。一方、電池Ａ検出部２０３が電池Ａ４００の装着を検出できたときは（ＳＴ１０２）、後述のＳＴ２００へ処理が進められる（ＳＴ１０５）。
【００２９】
電池Ｂ検出部２０４が電池Ｂ４００の装着を検出できないときは（ＳＴ１０４）、制御部Ａ２０１および制御部Ｂ３０１の双方に電池Ａ４００および電池Ｂ５００の電源が供給されず、制御部Ａ２０１および制御部Ｂ３０１は共に動作しないまま（ＳＴ１０６）、処理が終了する（ＳＴ１０７）。
【００３０】
電池Ｂ検出部２０４が電池Ｂ４００の装着を検出できたとき（ＳＴ１０４）、論理変換部３０３は、電池Ａ４００が電池Ａ装着部２０２に装着されていないため、制御部Ａ２０１の制御情報を制御部Ｂ３０１へ送出しないように制御部Ｂ３０１の入力信号を固定する（ＳＴ１０８）。そして、制御部Ａ２０１は携帯電話機能を動作させず、かつ、制御部Ｂ３０１は制御部Ａ２０１の制御情報から独立して非接触ＩＣカード機能を動作させ（ＳＴ１０９、ＳＴ１１０）、処理が終了する（ＳＴ１０７）。なお、このとき、制御部Ａ２０１が電池Ａ４００から電源供給を受けることができないため、スイッチ２０６は、制御部Ａ２０１から制御信号を受けることができず、通常状態のオフ状態のままであり、電池Ｂ５００は充電部２０５から充電を受けることはできない。また、制御部Ａ２０１およびＬＣＤ表示部２０７は共に電源供給を受けていないため、ＬＣＤ表示部２０７は動作せず、何も表示がなされない。
【００３１】
次に、図１および図３において、ＳＴ２００以降の動作説明をする。電池Ａ検出部２０３が電池Ａ４００の装着を検出できたときは（ＳＴ２０１）、次に電池Ｂ検出部２０４が電池Ｂ５００の電池Ｂ装着部３０２への装着の有無を検出する（ＳＴ２０２）。
【００３２】
電池Ｂ検出部２０４が電池Ｂ５００の装着を検出できたときは（ＳＴ２０２、ＳＴ２０３）、論理変換部３０３は電池Ａ４００が電池Ａ装着部２０２に装着されているため、制御部Ａ２０１の制御情報を制御部Ｂ３０１へ送出する（ＳＴ２０４）。そして、制御部Ａ２０１は携帯電話機能を動作させ、かつ、制御部Ｂ３０１は制御部Ａ２０１の制御情報に基づいて非接触ＩＣカード機能を動作させ（ＳＴ２０５）、処理が終了する（ＳＴ２０８、ＳＴ１０７）。なお、このとき、スイッチ２０６は、制御部Ａ２０１から電池Ｂ５００の装着がなされ旨の制御信号を受け、通常のオフ（ＯＦＦ）状態からオン（ＯＮ）状態となり、電池Ｂ５００は充電部２０５から充電を受けることができる。また、制御部Ａ２０１およびＬＣＤ表示部２０７は共に電源供給を受けて、ＬＣＤ表示部２０７は、非接触ＩＣカード部３００に記録されている公衆電話機の通話料金の支払い、自動改札機を利用した電車運賃の支払い、ＩＤ認証等の記録内容、動作状況等を表示する。
【００３３】
電池Ｂ検出部２０４が電池Ｂ５００の装着を検出できないときは（ＳＴ２０２、ＳＴ２０６）、制御部Ａ２０１は携帯電話機能のみを動作させ、制御部Ｂ３０１はＩＣカード機能を動作させず（ＳＴ２０７）、処理が終了する（ＳＴ２０８、ＳＴ１０７）。そして、制御部Ａ２０１のみが携帯電話機能を動作させ、かつ、制御部Ｂ３０１は非接触ＩＣカード機能を動作させず（ＳＴ２０７）、処理が終了する（ＳＴ２０８、ＳＴ１０７）。なお、このとき、スイッチ２０６は、制御部Ａ２０１から電池Ｂ５００の装着がなされていない旨の制御信号を受けるため、通常のオフ状態のままであり、電池Ｂ５００は充電部２０５から充電を受けることはできない。また、制御部Ａ２０１のみが電源供給を受けて、ＬＣＤ表示部２０７には携帯電話機能にかかる情報のみが表示される。
【００３４】
なお、上記動作説明にかかわらず、電池Ａ・Ｂ検出部２０３、２０４による電池Ａ・Ｂ４００、５００の装着検出は、端末装置１００の使用中に、電池Ａ４００または電池Ｂ５００の取り付けた場合および取り外した場合の双方にも対応可能なものである。すなわち、電池Ａ４００または電池Ｂ５００が取り付けられ、または取り外されたときに、上述のＳＴ１０１の処理を開始する。
【００３５】
このように、本発明の実施の形態１に係る端末装置では、非接触ＩＣカード機能が携帯電話機能に制御される場合に、携帯電話機能を動作させなくても、非接触ＩＣカード機能を携帯電話機能の制御から独立して動作させることができる。
【００３６】
また、併せて、非接触ＩＣカード機能を携帯電話機能に制御させて動作させることもできる。
【００３７】
また、併せて、携帯電話機能のみを動作させることもできる。
【００３８】
また、電池Ａ検出部２０３のまたは電池Ｂ検出部２０４の検出結果に従って、制御部Ａ２０１または制御部Ｂ３０１が、電池Ａ４００または電池Ｂ５００が電池Ａ装着部２０２または電池Ｂ装着部３０２に装着されたことを認識するようにすれば、電池Ａ４００または電池Ｂ５００の装着を容易に検出できる。
【００３９】
また、論理変換部３０３は、電池Ｂ５００の装着に応じて、制御部Ａ２０１の制御情報を制御部Ｂ３０１へ送出するようにし、または送出されないようにしたので、必要時のみ確実に制御部Ａ２０１の制御情報を制御部Ｂ３０１へ送出することができる。
【００４０】
また、充電部２０５からの電池Ｂ５００への充電をスイッチ２０６で切り替え制御しているので、充電部２０５が電池Ｂ５００に対して誤操作なく的確に充電を行うことができる。
【００４１】
発明の実施の形態２．
次に、本発明の実施の形態２に係る端末装置の別の実施例を説明する。
【００４２】
図４は、本発明の実施の形態２に係る端末装置の構成を示す図である。
【００４３】
図４において、電池パック７００は、図１で説明した電池Ａ４００および電池Ｂ５００を一体とし、全体をしてひとつの電池パックとして構成したものである。電池パック７００を端末装置１００に取り付けると、電池Ａ４００が電池Ａ装着部２０２に、電池Ｂ５００が電池Ｂ装着部３０２に、装着される。電池Ａおよび電池Ａ装着部２０２間には電池Ａ用スイッチ７０１が設けられ、この電池Ａ用スイッチ７０１は制御部Ａ２０１の制御によってオン／オフされ、電池Ａ装着部２０３はオンのときは電池Ａ４００が電池Ａ装着部２０２に装着されたと検出し、オフのときは電池Ａ４００が電池Ａ装着部２０２に装着されていないと検出する。また、制御部Ａ２０１は電池Ａ検出部２０３の検出結果に従って、電池Ａ４００が電池Ａ装着部２０２に装着されたことを認識する。また、使用者は操作部２０８により電池Ａ用スイッチ７０１のオン／オフを、制御部Ａ２０１を介して操作可能である。
【００４４】
本発明の実施の形態２に係る端末装置の動作について、電池Ａ４００の電池Ａ装着部２０２への装着有無の検出を、電池Ａ用スイッチ７０１を用いて行っている点で、発明の実施の形態１と異なるのみで、本発明の実施の形態１に係る端末装置の動作説明と基本的には同じである。
【００４５】
本発明の実施の形態２に係る端末装置の動作説明を、図１、図３および図４に基づいて説明する。電池Ａ４００および電池Ｂ５００が電池パック７００により一体化されているので、電池Ａ４００が装着された時点で（ＳＴ１０２）、電池Ｂ６００も装着されたことになるため、図３で示すＳＴ２０６およびＳＴ２０７は処理として実現されないが、その他の動作説明は発明の実施の形態１で説明した通りである。
【００４６】
このような構成により、電池Ａ４００および電池Ｂ５００をコンパクトにひとつの電池パック７００に収めることができ、発明の実施の形態１に記載の発明の効果と同等の効果を得ることができる。
【図面の簡単な説明】
【００４７】
【図１】本発明の実施の形態１に係る端末装置の構成を示す図である。
【図２】本発明の実施の形態１に係る端末装置の動作説明をするためのフロー図である。
【図３】本発明の実施の形態１に係る端末装置の動作説明をするためのフロー図である。
【図４】本発明の実施の形態２に係る端末装置の構成を示す図である。
【符号の説明】
【００４８】
１００  端末装置、  ２００  携帯電話部、  ２０１  制御部Ａ、  ２０２  電池Ａ装着部、  ２０３  電池Ａ検出部、  ２０４  電池Ｂ、  ２０５  充電部、  ２０６  スイッチ、  ２０７  ＬＣＤ表示部、２０８  操作部、２０９  送受信部、２１０  アンテナ、３００  非接触ＩＣカード部、  ３０１  制御部Ｂ、  ３０２  電池Ｂ装着部、  ３０３論理変換部、  ７００  電池パック、７０１  電池Ａ用スイッチ。
【図１】
2005333745.tif 000003
【図２】
2005333745.tif 000004
【図３】
2005333745.tif 000005
【図４】
2005333745.tif 000006